(57)【要約】【課題】不使用時には切断刃が突出せず、かつテープ挿入口も閉鎖し、安全性が高いテープ切断具を提供する。【解決手段】本体に、一端にテープ挿入開口を備えたテープ切断空間を設けるとともに、該テープ切断空間の下面に切断刃収容凹部を設け、該切断刃収容凹部に切断刃を交換自在に装着した切断刃保持台を上下動可能に収容し、かつ、前記本体に回転自在に軸着した操作レバーに押上棒を連結し、該押上棒の下端を前記テープ挿入開口を開閉する開閉カバーの一部を介在させてバネで上向きに付勢しており、前記操作レバーを操作していない原状位置で、前記バネにより前記押上棒の上部を前記切断刃収容凹部の底壁に設けた開口を通して前記切断刃保持台の下面を押し上げ、前記切断刃を前記テープ切断空間に突出させる一方、前記操作レバーの操作で前記バネを圧縮し、前記押上棒および前記切断刃保持台を下降させて前記テープ切断空間に前記切断刃を突出させないと共に、前記開閉カバーを下降させて前記テープ挿入開口を開く構成としている。【選択図】図１
2015074553.tif 000002
【特許請求の範囲】
【請求項１】
本体に、一端にテープ挿入開口を備えたテープ切断空間を設けるとともに、該テープ切断空間の下面に切断刃収容凹部を設け、該切断刃収容凹部に切断刃を交換自在に装着した切断刃保持台を上下動可能に収容し、
かつ、前記本体に回転自在に軸着した操作レバーに押上棒を連結し、該押上棒の下端を前記テープ挿入開口を開閉する開閉カバーの一部を介在させてバネで上向きに付勢しており、
前記操作レバーを操作していない原状位置で、前記バネにより前記押上棒の上部を前記切断刃収容凹部の底壁に設けた開口を通して前記切断刃保持台の下面を押し上げ、前記切断刃を前記テープ切断空間に突出させる一方、
前記操作レバーの操作で前記バネを圧縮し、前記押上棒および前記切断刃保持台を下降させて前記テープ切断空間に前記切断刃を突出させないと共に、前記開閉カバーを下降させて前記テープ挿入開口を開く構成としているテープ切断具。
【請求項２】
前記本体には作業員が把持する把持部を設け、該把持部を持った状態で前記操作レバーを操作できるようにしている請求項１に記載のテープ切断具。
【発明の詳細な説明】
【技術分野】
【０００１】
本発明はテープ切断具に関し、詳しくは、ワイヤハーネス用テープとして汎用されている織布テープ等のテープ切断具として好適に用いられるものである。
【背景技術】
【０００２】
従来、車両用ワイヤハーネスの電線群の結束用等として粘着テープが汎用されており、該粘着テープは巻き付け後に作業員が手で千切れるものが多い。これに対して、近時、耐摩耗性が良く、異音防止効果があり、且つ、見栄えが良い等の理由で織布テープが汎用されている。該織布テープはＰＥＴ等の剛性を有する樹脂糸の織布からなる基材をゴム系の粘着剤に含浸して作成されており、基材の樹脂糸を作業員が手で千切れないため、テープ切断具を用いて切断されている。
【０００３】
ワイヤハーネス組立工程でテープの巻き付けは種々の工程で用いられている。例えば、ワイヤハーネスの幹線及び枝線の電線群をそれぞれ結束するため、ワイヤハーネスに外装したコルゲートチューブの端末をワイヤハーネスに固着するため、電線群にクリップを取り付けるため、電線群の外周にジョイントコネクタを固着するため等、多数の箇所にテープ巻きがなされ、テープ巻き終了後にテープを切断する位置が多数箇所となる。よって、前記テープが手で千切れない織布テープの場合、作業員が携帯するハンドタイプのテープ切断具が用いられる。
【０００４】
前記ハンドタイプのテープ切断具として、図７（Ａ）（Ｂ）に示すテープ切断具が汎用されている。該テープ切断具１００は作業員の手で把持する環状把持部１０１の一部から外径方向へ突出した後に周方向に屈折させた切断刃保持部１０２を設け、該切断刃保持部１０２の内面と環状把持部１０１の外周との間にテープ切断空間１０３を設けている。切断刃保持部１０２に切断刃１０５の上部をモールド固定し、該切断刃１０５の下部を前記テープ切断空間１０３に上方から突出させ、該テープ切断空間１０３に挿入したテープ２００を上向きに引っ張って切断刃１０５で切断できるようにされている。また、切断刃保持部１０２の周方向の先端からに環状把持部１０１側へ内径方向に屈曲してテープ挿入用アーム部１０６を設け、該テープ挿入用アーム部１０６の先端内面と環状把持部１０１の外周面の間にテープ挿入口１１０を設け、前記テープ切断空間１０３に連続させている。前記テープ挿入口１１０からテープ２００を横入れしてテープ切断空間１０３に挿入している。
【０００５】
前記テープ切断具１００では、ワイヤハーネスの電線群にテープ２００を巻き付けた後、テープ２００をテープ切断具１００のテープ挿入口１１０に横入れし、テープ切断空間１０３へ移動させた後にテープ２００を上向きに引っ張るだけで切断できる。
【０００６】
なお、従来、テープ切断具として特開２００８−２３８３４５号公報で、切断刃が指に触れない安全性が高い切断具が提供されている。しかしながら、該切断具はハンドタイプで定位置に設置されるものであるため、テープの巻付作業後のテープカット位置が種々の複数位置に分散されているワイヤハーネス用の切断具としては不適である。
また、ハンドタイプのテープカッターとして、特開平１１−４９４１８号公報で、図８（Ａ）（Ｂ）に示す粘着テープ４００のコイルを収容すると共に、引き出した粘着テープ４００をカッター４０１で切断できる粘着用テープカッターが提供されている。しかしながら、ワイヤハーネスに巻き付ける粘着テープは長いため、粘着テープをテープカッターに収容して引き出しながらワイヤハーネスに巻き付けると作業性が非常に悪くなり、該テープカッターはワイヤハーネス用テープのハンドカッターとしては不適である。
【先行技術文献】
【特許文献】
【０００７】
【特許文献１】特開２００８−２３８３４５号公報
【特許文献２】特開平１１−４９４１８号公報
【発明の概要】
【発明が解決しようとする課題】
【０００８】
前記図７に示す汎用されているハンドタイプのワイヤハーネス用のテープ切断具１００は、テープ挿入口１１０は細くされているが、不意な力が作用してテープや細径電線がテープ挿入口１１０から押し込まれて切断刃１０５で切断される恐れがある。また、比較的広いテープ切断空間１０３に切断刃１０５が突出して剥き出しの状態になっているため、作業者が不用意に指を入れて怪我する恐れがある。さらに、切断刃１０５の交換ができず使い捨てであるため、切れ味が悪くなると廃棄しなければならず資源の無駄になる。
【０００９】
本発明は前記問題を解消し、テープ挿入口から不用意にテープや細径電線が挿入できないようにし、かつ、テープ切断空間に切断刃が常時剥き出しにならないようにし、しかも、切断刃の交換が容易にできるテープ切断具を提供することを課題としている。
【課題を解決するための手段】
【００１０】
前記課題を解決するため、本発明は、本体に、一端にテープ挿入開口を備えたテープ切断空間を設けるとともに、該テープ切断空間の下面に切断刃収容凹部を設け、該切断刃収容凹部に切断刃を交換自在に装着した切断刃保持台を上下動可能に収容し、
かつ、前記本体に回転自在に軸着した操作レバーに押上棒を連結し、該押上棒の下端を前記テープ挿入開口を開閉する開閉カバーの一部を介在させてバネで上向きに付勢しており、
前記操作レバーを操作していない原状位置で、前記バネにより前記押上棒の上部を前記切断刃収容凹部の底壁に設けた開口を通して前記切断刃保持台の下面を押し上げ、前記切断刃を前記テープ切断空間に突出させる一方、
前記操作レバーの操作で前記バネを圧縮し、前記押上棒および前記切断刃保持台を下降させて前記テープ切断空間に前記切断刃を突出させないと共に、前記開閉カバーを下降させて前記テープ挿入開口を開く構成としているテープ切断具を提供している。
【００１１】
前記のように、本発明のテープ切断具は、切断刃を切断具の本体に固定せず、切断刃保持台を切断具に移動自在に取り付け、バネと操作レバーにより切断刃をテープ切断空間に突出および退避させると共にテープ挿入開口を開閉している。即ち、不使用時にはテープ挿入開口を閉鎖して、不用意にテープや電線がテープ挿入開口を通してテープ切断空間に押し込まれないようにしている。また、操作レバーを操作してテープ挿入開口が開いている時は切断刃をテープ切断空間に突出させないため、突出した切断刃で電線が切断されたり、作業員が指詰めして怪我をすることを防止し、作業員の安全性を図っている。
【００１２】
前記本体には作業員が把持する把持部を設け、該把持部を持った状態で前記操作レバーを操作できるようにしている。
本発明のテープ切断具は作業員が携帯するタイプとしてもよいが、該テープ切断具を紐を介して連結したバネ等の伸縮手段を収容した収納容器と連結し、該収納容器をワイヤハーネス組立作業台上に設置してテープ切断具を吊り下げ、必要時に紐を伸ばしてテープカット位置までテープ切断具を移動できるようにしてもよい。
【発明の効果】
【００１３】
前記のように、本発明によれば、テープ切断具に切断刃を固定せず、操作レバーとバネとで切断刃をテープ切断空間に突出または退避できるように収容し、かつ、テープ切断空間に連続するテープ挿入開口を開閉する開閉カバーを設け、該開閉カバーも操作レバーの操作に連動して開閉する構成とし、不使用時には切断刃を剥き出し状に突出させず、かつ、テープや電線の挿入が出来ないものとしている。よって、不用意なテープや電線の切断を防止でき、かつ、作業員の安全性を図ることができる。
【図面の簡単な説明】
【００１４】
【図１】本発明の実施形態のテープ切断具を示し、（Ａ）は蓋を開いた状態の正面図、（Ｂ）は蓋を閉じた状態の正面図、（Ｃ）は斜視図である。
【図２】（Ａ）は図１（Ａ）のＡ−Ａ線断面図、（Ｂ）は切断刃保持台に切断刃を保持した状態を示す斜視図である。
【図３】テープ切断具のテープ挿入開口を開いた状態を示す正面図である。
【図４】テープ切断時の状態を示す正面図である。
【図５】第１変形例を示す斜視図である。
【図６】（Ａ）（Ｂ）は第２変形例を示す斜視図である。
【図７】（Ａ）（Ｂ）は汎用されている従来例を示す図面である。
【図８】（Ａ）（Ｂ）は他の従来例を示す図面である。
【発明を実施するための形態】
【００１５】
以下、本発明のテープ切断具の実施形態を図１乃至図４を参照して説明する。
図１に示すように、本発明のテープ切断具１は、樹脂成形品の本体２に、該本体２の一部開口を閉鎖する蓋３を設けている。
【００１６】
本体２は略矩形状の基部５の図１中下面左端から作業員が持つ棒状の握持部６を突出している。基部５の上部に横方向の貫通穴からなるテープ切断空間７を設け、該テープ挿入空間７の図中右側端を開口してテープ挿入開口７ａとしている。該テープ切断空間７の上下幅Ｓはワイヤハーネス用の織布テープ５０をスムーズに挿入できる大きさとしているが、作業員の指より小さくし、指が差し込まれない大きさとている。
【００１７】
前記テープ切断空間７の下面に沿って切断刃収容凹部８を設けている。図２に示すように、切断刃収容凹部８に切断刃１０を取り付けた切断刃保持台１１を収容している。該切断刃保持台１１は上面開口の差込溝１１ａに切断刃１０の下部を差し込み、上部刃先部１０ｂを上向きに突出させている。よって、切断刃１０が摩耗すると、切断刃１０を切断刃保持台１１から取り除いて、新しい切断刃１０を簡単に交換できるようにしている。
【００１８】
また、前記切断刃収容凹部８の深さＨ１は、切断刃保持台１１と該切断刃保持台１１から突出した先端刃先部１０ｂの合計高さＨ２より若干大きくし、切断刃保持台１１の下面１１ｂが切断刃収容凹部８の底壁８ｂに接触した位置で、切断刃１０の先端刃先部１０ｂはテープ切断空間７に突出しない寸法設定としている。さらに、切断刃収容凹部８の底壁８ｂの略中央に押上棒挿入穴８ｈを設けている。
【００１９】
前記基部５には、操作レバー１３、テープ挿入開口７ａの開閉カバー１４、およびバネ１５の収容する収容空間１８を設けている。該収容空間１８は前記切断刃収容凹部８の底壁８ｂおよび上枠部５ｆと基部５の下端枠部５ｂで上下方向が囲まれる共に、右端枠部５ｃと左側枠部５ｄに囲まれた段状に窪ませた凹部からなる。該凹部からなる収容空間１８に前記操作レバー１３等を回転自在収容して、蓋２を被せている。
【００２０】
詳しくは、収容空間１８に略倒Ｌ形状とした操作レバー１３の上部横枠部１３ａと縦枠部１３ｂの連結点を回転支軸１９を介して基部５に回転自在に取り付けている。縦枠部１３ｂの下端に連続して把持部６と反対方向へ傾斜させた操作部１３ｃを突設している。該操作部１３ｃは基部５の下端枠部５ｂに設けた作動用開口２１から下方へ突出している。該操作レバー１３の操作部１３ｃを把持部６側へ移動させると、上部横枠部１３ａが下向き傾斜し、操作部１３ｃから手を離すと前記バネ１５により上部横枠部１３ａが上方へ原状復帰するようにしている。
【００２１】
前記操作レバー１３の上部横枠部１３ａの先端に縦棒状の押上棒２０の上下中間位置を固定している。図１に示すように、該押上棒２０の上部は原状位置で前記切断刃収容凹部８の底壁８ｂに設けた押上棒挿入穴８ｈを通って前記切断刃保持台１１の下面１１ｂと接触させている。該押上棒２０の下端は前記テープ挿入開口７ａの開閉カバー１４の横枠部１４ａの上面と接触させ、該横枠部１４の下面と下端枠部５ｂとの間に一対のコイルバネ１５を縮装し、前記開閉カバー１４の横枠部１４ａ、押上棒２０、操作レバー１３の上部横枠部１３ａを上昇方向に付勢している。
【００２２】
前記テープ挿入開口７ａの開閉カバー１４は、前記横枠部１４ａの右端から縦枠部１４ｂを上向きに若干傾斜させて突設している。該縦枠部１４ｂは収容空間１８の上枠部５ｅに設けた開口５ｈを通して上方に突出させるとともに、収容空間１８内に突設したガイド壁１８ｇで移動自在に保持している。
【００２３】
前記開閉カバー１４の縦枠部１４ｂは前記コイルバネ１５により上向きに付勢された原状位置では、開口５ｈを通して上方に突出し、テープ挿入開口７ａを閉鎖する高さに位置する。
【００２４】
一方、図３に示すように、前記操作レバー１３を把持部６側の左方向に引く操作をすると、押上棒２０が下降し、開閉カバー１４の横枠部１４ａをバネ１５を圧縮して下降し、その結果、開閉カバー１４の縦枠部１４ｂを連動して下降し、テープ挿入開口７ａを開くようにしている。
【００２５】
前記構成としたテープ切断具１を用いて織布テープ５０を切断する手順を説明する。
不使用時は図１に示す状態で、コイルバネ１５により上向きに付勢されて、開閉カバー１４、押上棒２０、操作レバー１３は原状位置にある。即ち、開閉カバー１４の縦枠部１４ｂでテープ挿入開口７ａは閉鎖されている。よって、テープ挿入開口７ａより不用意にテープや電線が押し込まれることはない。押上棒２０は上昇位置にあり、該押上棒２０の上端で切断刃保持台１１を押し上げ、切断刃１０はテープ切断空間７の下方に突出している。しかしながら、前記のようにテープ挿入開口７ａが閉鎖されているため、テープ切断空間７に切断刃１０が突出していても、不用意にテープや電線を切断することはない。
【００２６】
ワイヤハーネス等への織布テープ５０の巻き付けを終了し、織布テープ５０を切断する時、まず、図３に示すように、把持部６を持っていた手の一部の指を操作レバー１３に引っ掛けて操作レバー１３を把持部６に引く。この引き操作で、操作レバー１３の上部横枠部１３ａが下向き傾斜し、押上棒２０は下降し、切断刃収容凹部８の底壁８ｂの押上棒挿入穴８ｈから下方へ引き出される。かつ、該押上棒２０の下端で開閉カバー１４の横枠部１４ａをコイルバネ１５を圧縮して下降させる。
【００２７】
該操作レバー１３の引き操作で、開閉カバー１４が下降するため、その縦枠部１４ｂの下降し、テープ挿入開口７ａを開く。また、押上棒２０が下降するため、切断刃収容凹部８の切断刃保持台１１は底壁８ｂに当たる位置まで下降し、切断刃１０の先端刃先部１０ｂはテープ切断空間７の下面から下方位置に移動する。このように、テープ挿入開口７ａが開いた時にはテープ切断空間７には切断刃１０は突出していない。よって、テープ挿入開口７ａより不用意に電線等が挿入されても、切断刃１０で電線を切断することはない。
【００２８】
前記のように、操作レバー１３の引き操作で開閉カバー１４を下降させてテープ挿入開口７ａを開き、該テープ挿入開口７ａより織布テープ５０を横入れし、テープ切断空間７内に織布テープ５０の幅方向全体を挿入する。
【００２９】
ついで、テープ切断作業に入るが、その前に、操作レバー１３より手を離し、図４に示すように前記図１と同じ状態に戻す。即ち、コイルバネ１５により上向きに付勢して、開閉カバー１４を上昇させ、それに連動して押上棒２０を上昇させ、操作レバー１３を反時計回りに回転させる。これにより、押上棒２０で切断刃保持台１１を上昇させて切断刃１０の先端刃先部１０ｂをテープ切断空間７に突出させ、かつ、開閉カバー１４でテープ挿入開口７ａを閉鎖する。
【００３０】
この状態で、テープ切断空間７内に位置する織布テープ５０の幅方向全長を切断刃１０で切断するため、織布テープ５０を先端刃先部１０ｂに当てて引っ張って切断する。
この織布テープ５０の切断作業後、既にテープ切断具１は不使用状態に戻っているため、何らの操作をする必要はない。よって、操作忘れで危険な状態になることはなく、常に安全性が保持されている。
【００３１】
本発明のテープ切断具は前記実施形態に限定されず、図５の第１変形例に示すように、棒状の把持部を、前記図７の汎用されているテープ切断具の把持部と同様の円環形状とした把持部３６を設けてもよい。
【００３２】
また、図６の第２変形例に示すように、把持部６に紐４０を通し、該紐４０の他端に渦巻きバネ４２を連結し、該渦巻きバネ４２を収容した収納容器４３を、図６（Ｂ）に示すように、ワイヤハーネス組立作業台４５に沿って立設した指示台４６上に設置して、テープ切断具１を作業空間の上方に吊り下げておいてもよい。
この場合、テープ切断具１の必要時に、把持部６をつかんで引っ張ると紐４０が伸びて、テープ切断具１をテープカット位置へ持ってくることができる。また、切断後は手を離すと渦巻きバネ４２で引き戻され、作業空間から離れた位置に戻る。該構成とすると、作業員はテープ切断具１を携帯する必要はなく、より安全性が高められる。
【００３３】
また、本発明のテープ切断具はワイヤハーネス用として汎用されている織布テープの切断に好適に用いられるが、他のテープおよび他の用途に用いられるテープの切断具としても好適に用いられる。
【符号の説明】
【００３４】
１  テープ切断具
２  本体
３  蓋
５  基部
６  握持部
７  テープ切断空間
７ａ  テープ挿入開口
８  切断刃収容凹部
１０  切断刃
１１  切断刃保持台
１３  操作レバー
１４  テープ挿入開口の開閉カバー
１５  コイルバネ
【図１】
2015074553.tif 000003
【図２】
2015074553.tif 000004
【図３】
2015074553.tif 000005
【図４】
2015074553.tif 000006
【図５】
2015074553.tif 000007
【図６】
2015074553.tif 000008
【図７】
2015074553.tif 000009
【図８】
2015074553.tif 000010